(57)【要約】【課題】設置する電気器具、スイッチ、コンセントなどの電気デバイスのレイアウト変更にも柔軟に対応でき、且つ、電気配線の配線量を従来に比べて低減しつつ電気デバイスへの電力供給が可能な導電性の内装仕上げ材に関する技術を提供する。【解決手段】導電性内装仕上げ材は、設置対象部の表面に設置された状態で接続ピン部材を介して電気デバイスへの電力供給を行い、電源装置からの電力が供給される導体層と、導体層上に形成される仕上げ層と、を備える。そして、電気デバイス側に設けられる接続ピン部材が仕上げ層を穿通又は挿通して導体層と接触することにより、導体層から電気デバイスへの電力供給が行われる。【選択図】図１
2013139697.tif 000002
【特許請求の範囲】
【請求項１】
設置対象部の表面に設置された状態で接続ピン部材を介して電気デバイスへの電力供給を行う導電性内装仕上げ材であって、
電源装置からの電力が供給される導体層と、
前記導体層上に形成される仕上げ層と、
を備え、
前記電気デバイス側に設けられる前記接続ピン部材が前記仕上げ層を穿通又は挿通して前記導体層と接触することにより、前記導体層から前記電気デバイスへの電力供給が行われる、導電性内装仕上げ材。
【請求項２】
前記導体層は、互いに絶縁された第１導体部と第２導体部を含み、
前記第１導体部と前記第２導体部とは夫々、直線状の直線部を複数含み、
前記第１導体部の直線部と前記第２導体部の直線部とは、絶縁部を挟んでストライプ状に交互に並んで配置されている、
請求項１に記載の導電性内装仕上げ材。
【請求項３】
前記接続ピン部材は複数のピンを有し、
隣接する前記第１導体部の直線部と前記第２導体部の直線部との幅方向の中心間距離は、当該直線部同士のいずれの組み合わせにおいても等しく、且つ、前記中心間距離は前記ピン同士のピッチと等しい、
請求項２に記載の導電性内装仕上げ材。
【請求項４】
前記仕上げ層は、前記導体層における前記直線部に対応する位置と前記絶縁部に対応する位置とを識別可能とするための目印が表面に付与されている、請求項３に記載の導電性内装仕上げ材。
【請求項５】
前記仕上げ層には、前記接続ピン部材を穿通させる際に前記ピンを前記導体層の前記直線部に誘導するための目印、若しくは、該ピンを挿通させるための貫通孔が形成されている、請求項３又は４に記載の導電性内装仕上げ材。
【請求項６】
前記接続ピン部材は、剣山状に形成された複数のピンを有し、且つ、前記仕上げ層に穿通させた際に前記剣山状に形成された複数のピンのうち少なくとも一のピンが前記第１導体部の直線部と接触し、少なくとも他の一のピンが前記第２導体部の直線部と接触するように構成されている、請求項３から５の何れか一項に記載の導電性内装仕上げ材。
【請求項７】
前記導体層は、互いに絶縁された第１導体部と、該第１導体部の上に積層された第２導体部とを含み、
前記接続ピン部材は、第１ピン及び該第１ピンよりも短い第２ピンを有し、
前記第２ピンの長さは、前記接続ピン部材を前記仕上げ層に穿通又は挿通させた状態で、前記第２導体部に到達し且つ前記第１導体部に到達しない長さに設定され、
前記第１ピンの長さは、前記接続ピン部材を前記仕上げ層に穿通又は挿通させた状態で、前記第１導体部に到達する長さに設定され、且つ、前記第１ピンの基端側には前記第２導体部と該第１ピンとを絶縁する絶縁被覆部が形成されている、
請求項１に記載の導電性内装仕上げ材。
【請求項８】
前記電気デバイスに設けられた差し込みプラグには、該差し込みプラグの栓刃を差し込むための差し込み口と、前記差し込み口に前記栓刃が差し込まれた状態でこの栓刃と導通状態となる接続ピン部材とを有するソケット部材が装着され、
前記導体層から前記電気デバイスへの電力供給は、前記差し込みプラグに装着された前
記ソケット部材を介して行われる、
請求項１から７の何れか一項に記載の導電性内装仕上げ材。
【請求項９】
前記導体層の下層側には、圧力センサー及び静電容量センサーの少なくとも何れかが設けられたセンサー層が形成されている、請求項１から８の何れか一項に記載の導電性内装仕上げ材。
【請求項１０】
前記電気デバイスには、特定の対象をセンシングするセンサー及び前記センサーのセンシング結果を表示するディスプレイを有する情報表示装置が含まれており、
前記導体層に接触した状態の接続ピン部材を介して該導体層から前記情報表示装置へと電力が供給される、請求項１から９の何れか一項に記載の導電性内装仕上げ材。
【請求項１１】
請求項１から１０の何れか一項に記載の導電性内装仕上げ材と、電気デバイス側に設けられるとともに前記導電性内装仕上げ材からの電力を該電気デバイスに供給する接続ピン部材とを備え、前記接続ピン部材が前記仕上げ層を穿通又は挿通して前記導体層と接触することにより前記導体層から前記電気デバイスへの電力供給が行われる、電力供給装置。
【発明の詳細な説明】
【技術分野】
【０００１】
本発明は、導電性内装仕上げ材及び電力供給装置に関する。
【背景技術】
【０００２】
従来、住宅、オフィス、店舗等の屋内空間において、壁や天井に取り付ける電気器具、スイッチ、コンセントなどへの電力供給は、通常、壁面内に埋設される電気配線を接続することによって行われている。
【先行技術文献】
【特許文献】
【０００３】
【特許文献１】特開平６−１８７８６９号公報
【特許文献２】特開２００８−２５１６４号公報
【発明の概要】
【発明が解決しようとする課題】
【０００４】
しかしながら、上記のような電気配線は、通常、壁の下地材、仕上げ材などによって覆われるため、フレキシビリティに欠ける。そのため、スイッチ、コンセント、（以下、まとめて「スイッチ・コンセント類」とも称する）、あるいは電気器具などのレイアウト変更の際には、上記仕上げ材等を取り除く必要があり、多大なコストが掛かるのが実情である。また、そもそも、壁体内に電気配線の配線は手間が掛かるため、住宅等の施工コストの増加、工期の増大に繋がり易い。
【０００５】
本発明は、上記実情に鑑みてなされたものであり、その目的は、設置する電気器具、スイッチ、コンセントなどの電気デバイスのレイアウト変更にも柔軟に対応でき、且つ、電気配線の配線量を従来に比べて低減しつつ電気デバイスへの電力供給が可能な導電性の内装仕上げ材に関する技術を提供することにある。
【課題を解決するための手段】
【０００６】
本発明では、上述した課題を解決するために以下の手段を採用する。すなわち、本発明は、設置対象部の表面に設置された状態で接続ピン部材を介して電気デバイスへの電力供給を行う導電性内装仕上げ材であって、電源装置からの電力が供給される導体層と、前記導体層上に形成される仕上げ層と、を備え、前記電気デバイス側に設けられる前記接続ピン部材が前記仕上げ層を穿通又は挿通して前記導体層と接触することにより、前記導体層から前記電気デバイスへの電力供給が行われる、導電性内装仕上げ材である。
【０００７】
本発明に係る導電性内装仕上げ材によれば、導体層が内装仕上げ材の平面方向に広がるように面状に形成されるため、電気機器やスイッチ・コンセント類等に代表される電気デバイスの設置位置を自由に変更することが可能となる。したがって、電気デバイスの増設、移設など、そのレイアウト変更にも柔軟に対応することができる。また、従来に比べてその電気配線量を低減することができるので、工期の短縮及び施工コストの低減が期待できる。
【０００８】
ここで、前記導体層は、互いに絶縁された第１導体部と第２導体部を含み、前記第１導体部と前記第２導体部とは夫々、直線状の直線部を複数含み、前記第１導体部の直線部と前記第２導体部の直線部とは、絶縁部を挟んでストライプ状に交互に並んで配置されていても良い。このようにして、第１導体部と第２導体部とを絶縁した状態で、導電性内装仕上げ材の平面方向に導体層を広く全体に亘って形成することができる。
【０００９】
また、前記接続ピン部材は複数のピンを有していても良い。この場合、隣接する前記第１導体部の直線部と前記第２導体部の直線部との幅方向の中心間距離は、当該直線部同士のいずれの組み合わせにおいても等しく、且つ、前記中心間距離は前記ピン同士のピッチと等しく構成されても良い。この場合、前記仕上げ層は、前記導体層における前記直線部に対応する位置と前記絶縁部に対応する位置とを識別可能とするための目印が表面に付与されていても良い。
【００１０】
また、前記仕上げ層には、前記接続ピン部材を穿通させる際に前記ピンを前記導体層の前記直線部に誘導するための目印、若しくは、該ピンを挿通させるための貫通孔が形成されていても良い。また、前記接続ピン部材は、剣山状に形成された複数のピンを有し、且つ、前記仕上げ層に穿通させた際に前記剣山状に形成された複数のピンのうち少なくとも一のピンが前記第１導体部の直線部と接触し、少なくとも他の一のピンが前記第２導体部の直線部と接触するように構成されていても良い。
【００１１】
これらによれば、接続ピン部材のピンを、隣接する第１導体部の直線部と第２導体部の直線部との双方に好適に接触させることができる。
【００１２】
また、前記導体層は、互いに絶縁された第１導体部と、該第１導体部の上に積層された第２導体部とを含み、前記接続ピン部材は、第１ピン及び該第１ピンよりも短い第２ピンを有し、前記第２ピンの長さは、前記接続ピン部材を前記仕上げ層に穿通又は挿通させた状態で、前記第２導体部に到達し且つ前記第１導体部に到達しない長さに設定され、前記第１ピンの長さは、前記接続ピン部材を前記仕上げ層に穿通又は挿通させた状態で、前記第１導体部に到達する長さに設定され、且つ、前記第１ピンの基端側には前記第２導体部と該第１ピンとを絶縁する絶縁被覆部が形成されていても良い。
【００１３】
このようにすれば、導体層１２における第１導体部と第２導体部とが厚さ方向に積層されるため、導体層を単層構造とする場合に比べて、接続ピン部材を穿通又は挿通させる位置の自由度が増す。これにより、使用者は、電気デバイスをより自由にレイアウトすることができる。
【００１４】
また、前記電気デバイスに設けられた差し込みプラグには、該差し込みプラグの栓刃を差し込むための差し込み口と、前記差し込み口に前記栓刃が差し込まれた状態でこの栓刃と導通状態となる接続ピン部材とを有するソケット部材が装着され、前記導体層から前記電気デバイスへの電力供給は、前記差し込みプラグに装着された前記ソケット部材を介して行われても良い。このようなソケット部材によれば、既存の差し込みプラグを備えた電気デバイスに対して、導電性内装仕上げ材から電力供給を行うことができる。
【００１５】
また、導電性内装仕上げ材において、前記導体層の下層側には、圧力センサー及び静電容量センサーの少なくとも何れかが設けられたセンサー層が形成されていても良い。これによれば、導電性内装仕上げ材の仕上げ層が押圧されたことをセンサー層によって検出することで、導電性内装仕上げ材をスイッチとしても機能させることができる。また、導体層を介して、センサー層の検出結果を示す情報信号を外部の制御装置に搬送、伝達することによって、センサーを防犯用途に利用することも可能である。
【００１６】
また、本発明は、電力供給装置の側面としても捉えることができる。本発明に係る電力供給装置は、上述までの何れかの導電性内装仕上げ材と、電気デバイス側に設けられるとともに前記導電性内装仕上げ材からの電力を電気デバイスに供給する接続ピン部材とを備え、前記接続ピン部材が前記仕上げ層を穿通又は挿通して前記導体層と接触することにより前記導体層から前記電気デバイスへの電力供給が行われることを特徴とする。すなわち
、電力供給装置は、設置対象部の表面に設置された状態で電気デバイスへの電力供給を行う導電性内装仕上げ材と、前記電気デバイス側に設けられるとともに前記導電性内装仕上げ材からの電力を電気デバイスに供給する接続ピン部材と、を備え、前記導電性内装仕上げ材は、電源装置からの電力が供給される導体層と、前記導体層上に形成される仕上げ層とを備え、前記接続ピン部材が前記仕上げ層を穿通又は挿通して前記導体層と接触することにより前記導体層から前記電気デバイスへの電力供給が行われることを特徴とする。
【発明の効果】
【００１７】
本発明によれば、設置する電気デバイスのレイアウト変更にも柔軟に対応でき、且つ、電気配線量を従来よりも低減しつつ電気デバイスへの電力供給が可能な導電性の内装仕上げ材に関する技術を提供することができる。
【図面の簡単な説明】
【００１８】
【図１】実施例１に係る導電性内装仕上げ材の概略構成を示す図である。
【図２】導体層の平面形状及びその構造を示す図である。
【図３】導電性壁紙が設置される壁の水平断面図を示す図である。
【図４】電気デバイスの概略構成を示す図である。
【図５】壁に貼り付けた状態における導電性壁紙の一部を透視した部分透視図である。
【図６】壁に貼り付けられた状態における導電性壁紙の部分立面図である。
【図７】差し込みプラグを備える電気デバイスに装着するソケット部材を示す図である。
【図８】実施例２に係る導電性壁紙を示す図である。
【図９】実施例３に係る接続ピン部材を示す図である。
【図１０】実施例３に係る接続ピン部材と導体層の直線部との関係を示す図である。
【図１１】実施例４に係る導電性壁紙の断面構造及び接続ピン部材の構造を示す図である。
【図１２】実施例５に係る導電性壁紙の断面構造を示す図である。
【図１３】実施例６に係る導電性壁紙の断面構造を示す図である。
【図１４】壁４の側面透視図である。
【図１５】実施例７に係る総合システムの構成を概念的に示す図である。
【図１６】導電性壁紙が表面に貼り付けられた壁の側面図である。
【図１７】情報パネルの正面図である。
【発明を実施するための形態】
【００１９】
以下に図面を参照して、本発明を実施するための形態を例示的に詳しく説明する。尚、本実施の形態に記載されている構成要素の寸法、材質、形状、その相対配置等は、特に特定的な記載がない限りは、発明の技術的範囲をそれらのみに限定する趣旨のものではない。
【００２０】
＜実施例１＞
［導電性壁紙］
図１は、実施例１に係る導電性内装仕上げ材の概略構成を示す図である。導電性内装仕上げ材を設置する対象である設置対象部としては、例えば、壁、天井等が例示できる。本実施形態では、例えば、住宅の壁を設置対象部とし、当該壁の内装仕上げ材に用いる導電性壁紙（導電性クロス）を例に挙げて説明する。導電性壁紙１は、下地材２に貼り付けられる最下層の基材１１、基材１１上に形成される導体層１２、導体層１２上に形成される最上層の仕上げ層１３を有する。仕上げ層は、例えば、ポリ塩化ビニールを主原料としても良い。
【００２１】
図２は、導体層１２の平面形状及びその構造を示す図である。導体層１２は、第１導体部１２１、第２導体部１２２、及び、これらを互いに絶縁する絶縁部１２３を含む。第１導体部１２１は、導電性壁紙１の上下方向あるいは左右方向の何れかに沿って形成される複数の直線部１２１Ａと、複数の直線部１２１Ａを連結する連結部１２１Ｂとを含み、概ね櫛形の平面形状を有する。一方、第２導体部１２２も同様に、複数の直線部１２２Ａと各直線部１２２Ａを連結する連結部１２２Ｂとを含み、概ね櫛形の平面形状を有する。第１導体部１２１側の直線部１２１Ａと第２導体部１２２側の直線部１２２Ａとは、交互に平行に並んでいる。すなわち、第１導体部１２１側の直線部１２１Ａと第２導体部１２２側の直線部１２２Ａとは、絶縁部１２３を挟んでストライプ状に交互に並んで配置されている。
【００２２】
直線部１２１Ａと直線部１２２Ａの幅は等しく、隣接する直線部１２１Ａと直線部１２２Ａとの幅方向の中心間距離（以下、以下、「導体ピッチ」という）ｐｔは、いずれの直線部１２１Ａと直線部１２２Ａとの組み合わせにおいても等しく、等ピッチとなっている。すなわち、隣接する直線部１２１Ａと直線部１２２Ａとの導体ピッチｐｔは一定となっている。
【００２３】
図３は、導電性壁紙１が設置される壁の水平断面図を示す図である。壁４は、例えば、図示しない木軸を挟み込むように設けられる一組の石膏ボード（プラスターボード）等の下地材２を有している。図１及び図２において説明した導電性壁紙１は、下地材２の表面に貼り付けられている。導電性壁紙１は、例えば、基材１１の裏面にクロス糊を塗布するなどして、壁４の下地材２の表面に貼り付けると良い。
【００２４】
一組の下地材２同士の間に設けられた空洞部には、例えば、木軸に設置された埋め込み配線ボックスに収容されたターミナル装置５が設けられている。このターミナル装置５は、図示しない分電盤（電源装置）に接続された第１電気配線４１Ａ、第２電気配線４１Ｂ（これらを総称する場合には「電気配線４１」という）と接続されている。分電盤は、例えば、交流電源であり、第１電気配線４１Ａがいわゆる電圧線、第２電気配線４１Ｂがアースされている中性線である。ターミナル装置５は、第１ターミナル端子５１Ａ、第２ターミナル端子５１Ｂを有している。分電盤からの第１電気配線４１Ａは第１ターミナル端子５１Ａと電気的に接続され、第２電気配線４１Ｂは第２ターミナル端子５１Ｂと電気的に接続されている。なお、分電盤は、電気配線４１を介してターミナル装置５に直流の電力を供給しても良い。
【００２５】
ターミナル端子５１Ａ，５１Ｂは、導電性壁紙１が貼り付けられる下地材２を貫通して設けられ、導電性壁紙１の導電層１２と電気的に接続されている。より具体的には、第１ターミナル端子５１Ａは、導電層１２における第１導体部１２１と電気的に接続されている。一方、第２ターミナル端子５１Ｂは、導電層１２における第２導体部１２２と電気的に接続されている。このような構成により、分電盤から電気配線４１を介してターミナル装置５に分配された電力は、ターミナル端子５１を介して導電性壁紙１の導体層１２へと供給される。ターミナル装置５は、例えば、住宅の居室単位で設置されても良い。
【００２６】
［電気デバイス］
図４は、電気デバイス３の概略構成を示す図である。ここでは、電気デバイス３の一例として照明器具を用いる場合を例に説明する。電気デバイス３は、例えば、本体部３１と取り付け部３２とから構成されている。電気デバイス３としての照明器具の本体部３１は、例えば電球やそれを覆うカバーなどを含んでいる。一方、取り付け部３２は、電気デバイス３を導電性壁紙１に対して、電気的及び物理的に接続する機能を有する。取り付け部３２は、固定部材３２１及び接続ピン部材３２２を有する。固定部材３２１は、例えば、吸盤、粘着テープ等であって、電気デバイス３の取り付け部３２を、導電性壁紙１におけ
る仕上げ層１３の表面に物理的に固定する。なお、取り付け部３２と本体部３１とは、ヒンジ部材を介して上下方向、及び左右方向に相対回動自在に取り付けられている。
【００２７】
接続ピン部材３２２は、一組の第１ピン３２２１、第２ピン３２２２からなる。第１ピン３２２１と第２ピン３２２２との間隔（以下、「接続ピン側ピッチ」という）は、上述した導体層１２の導体ピッチｐｔと等しくなっている。また、図示の様に、接続ピン部材３２２の先端側は尖っている。したがって、使用者が接続ピン部材３２２を、導電性壁紙１における仕上げ層１３の表面に当てて適度の力を込めることで、接続ピン部材３２は容易に仕上げ層１３を穿通（貫通）する。ここで、接続ピン部材３２２（３２２１，３２２２）の固定部材３２１からの突出長さは、仕上げ層１３の厚さよりも大きくなっており、接続ピン部材３２を根元まで仕上げ層１３に押し込むことで、接続ピン部材３２２は導体層１２まで到達する。
【００２８】
上記のように、接続ピン部材３２２における接続ピン側ピッチと導体ピッチｐｔは等しいため、第１ピン３２２１及び第２ピン３２２２の一方を第１導体部１２１の直線部１２１Ａと導通させ、何れか他方を第２導体部１２２の直線部１２２Ａと導通させることができる。これにより、接続ピン部材３２２を介して、導電性壁紙１の導体層１２から電気デバイス３へと電力を供給することができる。本実施形態に係る電力供給装置は、導電性壁紙１と接続ピン部材３２２とを含んで構成される。
【００２９】
図５は、壁４に貼り付けた状態における導電性壁紙１の一部を透視した部分透視図である。電気デバイス３の接続ピン部材３２２（３２２１，３２２２）を、導体層１２に穿通させた状態を示す。この図の例では、第１導体部１２１の直線部１２１Ａ、及び、第２導体部１２２の直線部１２２Ａを、壁４の高さ方向に沿って配置している。
【００３０】
図６は、壁に貼り付けられた状態における導電性壁紙１の部分立面図である。本図において、仕上げ層１３の表面には、ストライプ状の模様１３１（図中、ハッチング部分）が描かれている。ここで、模様１３１は、導体層１２における直線部１２１Ａ，１２２Ａに対応する位置に描かれている。そして、導体層１２の絶縁部１２３に対応する位置には、無地となっている。このような導電性壁紙１によれば、使用者は、ストライプ状の模様１３１が描かれている部分に、電気デバイス３の接続ピン部材３２２を穿通させることで、第１ピン３２２１，第２ピン３２２２を容易に第１導体部１２１，第２導体部１２２と接触させることができる。
【００３１】
なお、ここでは、仕上げ層１３の表面において、直線部１２１Ａ，１２２Ａに対応する位置にストライプ状の模様１３１を付す場合を説明したが、逆に、直線部１２１Ａ，１２２Ａに対応する位置を無地とし、絶縁部１２３に対応する位置に模様１３１を付与しても良い。この場合、使用者は、仕上げ層１３の無地部分に電気デバイス３の接続ピン部材３２２を穿通させることになる。つまり、絶縁部１２３が形成される領域と、直線部１２１Ａ，１２２Ａが形成される領域を識別可能な態様で、模様、ケガキ、マーク等、何らかの目印を仕上げ層１３の表面に付与すると好適である。模様１３１は、目印の一形態である。
【００３２】
上記のように、仕上げ層１３の表面に、導体層１２における直線部１２１Ａ，１２２Ａに対応する位置と絶縁部１２３に対応する位置とを識別可能とするための目印を付与しておくことで、使用者は、接続ピン部材３２２を適切な位置への穿通を容易に行うことができる。なお、「電気デバイス３側に設けられる」とは、図４のように、電気デバイス３に対しては接続ピン部材３２２が一体的に設けられる態様の他、後述する図７に示すように、電気デバイス３に装着されるソケット部材に接続ピン部材３２２が設けられる態様を含むものである。
【００３３】
図７は、既存の差し込みプラグ３３を備える電気デバイス３に装着するソケット部材３４を示す図である。ソケット部材３４は、ソケット本体部３４１と、このソケット本体部３４１の前端（先端）側に設けられた固定部材３２１と、固定部材３２１から突出する一組の接続ピン部材３２２とを有する。この固定部材３２１と、一組の接続ピン部材３２２は、図４で説明したものと同等の部材である。ソケット部材３４の本体部３４１は、接続ピン部材３２２が設けられていない方の基端側に、差し込みプラグ３３の一組の栓刃３３１を差し込み（挿入）可能な差し込み口３４２を有している。差し込みプラグ３３の栓刃３３１を差し込み口３４２に差し込むと、接続ピン部材３２２と差し込みプラグ３３とが電気的に接続状態となるように構成されている。
【００３４】
差し込みプラグ３３を備える電気デバイス３に導電性壁紙１から電力を供給させる場合には、ソケット部材３４に差し込みプラグ３３を装着した状態で、ソケット部材３４の接続ピン部材３２２を導電性壁紙１の仕上げ層１３に押し込み穿通させ、若しくは、ソケット部材３４の接続ピン部材３２２を導電性壁紙１の仕上げ層１３に穿通させてから差し込みプラグ３３をソケット部材３４に装着すれば良い。これによれば、ソケット部材３４を介して、導電性壁紙１における導体層１２と、差し込みプラグ３３の栓刃３３１とが導通状態となるため、導電性壁紙１の導体層１２から電気デバイス３への電力供給が実現される。
【００３５】
以上のように、本実施例における導電性壁紙１によれば、導体層１２から直接的に電気デバイス３へと電力供給が可能となるため、例えば、従来のようにスイッチ・コンセント類毎に電気配線する場合に比べてその電気配線量を低減することができる。これにより、工期の短縮及び施工コストの低減が期待できる。
【００３６】
また、導電性壁紙１における導体層１２は、導電性壁紙１の平面方向に広がって面状に形成されている。また、導体層１２は、平面方向において、第１導体部１２１側の直線部１２１Ａと第２導体部１２２側の直線部１２２Ａとが平行に交互に並んでおり、且つ、その導体ピッチｐｔを接続ピン側ピッチと等しくしているため、壁面（導電性壁紙１）への取り付け位置に関する制約を受けずに電気デバイス３を自由に設置することができる。すなわち、電気機器やスイッチ・コンセント類等に代表される電気デバイス３の設置位置を自由に変更することが可能となる。したがって、電気デバイス３のレイアウト変更にも柔軟に対応することができる。よって、例えば、スイッチ・コンセント類の増設、移設などを、設置箇所の制限なく自由に行うことができる。また、例えば、各種の電気器具を壁４に取り付けて動作させることができるし、携帯電話の充電ステーションを好きな場所に設置することもできる。
【００３７】
なお、本実施例では、分電盤からの電力を、電気配線４１によってターミナル装置５まで中継してから、導電性壁紙１の導体層１２に電力を供給する形態を採用しているが、これに限られない。例えば、分電盤に設けられる端子から導電性壁紙１の導体層１２に直接電力を供給し、各居室の導電性壁紙１の導体層１２同士を互いに導通するなどして、ターミナル装置５及び電気配線４１の設置を省略しても良い。或いは、上記実施例のようにターミナル装置５を壁４内部に埋設する場合においても、分電盤からターミナル装置５への電力供給を無線によって供給しても良い。
【００３８】
＜実施例２＞
次に、実施例２について説明する。図８は、実施例２に係る導電性壁紙１を示す図である。図８は、壁に貼り付けられた状態における導電性壁紙１の部分立面図である。仕上げ層１３の表面には、接続ピン部材３２２を穿通させるためのマーク（目印）１３２が描かれている。ここでは、便宜上、仕上げ層１３の下層に設けられる導体層１２を破線で示す
。導電性壁紙１における他の構造については、図１に示す構造と同様である。
【００３９】
図８に示すように、仕上げ層１３の表面には、接続ピン部材３２２を仕上げ層１３に穿通させる際に、第１ピン３２２１，第２ピン３２２２を導体層１２の直線部１２１Ａ，１２２Ａに誘導するためのマーク１３２が形成されている。マーク１３２は、導体層１２の直線部１２１Ａ，１２２Ａに対応する位置に形成されている。使用者は、接続ピン部材３２２をマーク１３２に位置合わせした上で押し込むことにより、仕上げ層１３を貫通した第１ピン３２２１及び第２ピン３２２２の何れか一方を、第１導体部１２１の直線部１２１Ａと接触させ、他方を第２導体部１２２の直線部１２２Ａと接触させることができる。
【００４０】
なお、本実施形態に係る接続ピン部材３２２は、先端側が尖っていなくても良い。例えば、導電性壁紙１の仕上げ層１３を貫通する貫通孔１３３を予め所定の位置に設けておき、この貫通孔１３３に接続ピン部材３２２を挿通させることによって、接続ピン部材３２２と導体層１３とを導通させても良い。図８には、貫通孔１３３の配置位置の一例を示す。具体的には、貫通孔１３３を、上述したマーク１３２と同様、導体層１２の直線部１２１Ａ，１２２Ａに対応する位置（直線部１２１Ａ，１２２Ａと重なる位置）に配置する。これによれば、使用者は、導電性壁紙１の仕上げ層１３に形成されたマーク１３２の位置で接続ピン部材３２２を穿通させ、或いは、貫通孔１３３に接続ピン部材３２２を挿通させることによって、導体層１２から電気デバイス３への電力供給をより確実に行うことができる。
【００４１】
＜実施例３＞
次に、実施例３について説明する。図９は、実施例３に係る接続ピン部材を示す図である。図９に示す電気デバイス３は、接続ピン部材の構造を除いて図４に示すものと同等である。本実施例に係る接続ピン部材３２２Ａは、剣山状に形成された複数（多数）のピンからなる。そして、接続ピン部材３２２Ａは、仕上げ層１３に穿通させた際、剣山状に形成された複数のピンのうち少なくとも一のピンが第１導体部１２１側の直線部１２１Ａと接触し、少なくとも他の一のピンが第２導体部１２２側の直線部１２２Ａと接触するように構成されている。
【００４２】
図１０は、実施例３に係る接続ピン部材３２２Ａと導体層１２の直線部１２１Ａ，１２２Ａとの関係を示す図である。図１０は、図５と同様、導電性壁紙１の一部を透視した部分透視図である。図１０には、導電性壁紙１の２箇所に接続ピン部材３２２Ａを穿通させた状態が示されている。接続ピン部材３２２Ａのピッチは、導体層１２における導体ピッチｐｔに比べて相対的に小さい。そして、接続ピン部材３２２Ａを形成する複数のピンのうち、端部位に設けられる一組のピン（以下、端部ピンという）同士の距離は、一の直線部１２１Ａ，１２２Ａの幅と、一の絶縁部１２３の幅とを足した寸法よりも大きい。
【００４３】
このように、導体層１２と接続ピン部材３２２Ａとの相対関係を規定することにより、接続ピン部材３２２Ａを仕上げ層１３に穿通させた際、少なくとも一のピンが第１導体部１２１側の直線部１２１Ａと接触し、少なくとも他の一のピンが第２導体部１２２側の直線部１２２Ａと接触する。つまり、使用者が、電気デバイス３をいずれの位置に取り付けても、接続ピン部材３２２Ａの少なくとも何れか一のピンが第１導体部１２１に接触し、残りのピンのうち少なくとも一のピンが第２導体部１２２に接触するので、導体層１２から電気デバイス３への電力供給を好適に行うことができる。
【００４４】
＜実施例４＞
図１１は、実施例４に係る導電性壁紙１の断面構造及び接続ピン部材３２２Ｂの構造を示す図である。本実施例における導電性壁紙１の導体層１２は、第１導体部１２１の上に絶縁部１２３を挟んで第２導体部１２２が積層されている。具体的には、導体層１２は、
基材１１の上に、第１導体部１２１、絶縁部１２３、第２導体部１２２の順に積層されている複層構造となっている。本実施例における第１導体部１２１及び第２導体部１２２は、導電性壁紙１の平面方向の略全面に亘って形成されており、ストライプ状に並ぶ直線部を含んでいない点で図２に示す平面形状と相違している。
【００４５】
次に、接続ピン部材３２２Ｂの構造を説明する。接続ピン部材３２２Ｂは、図４に示す接続ピン部材３２２と同様に、第１ピン３２２１、第２ピン３２２２を有する。本実施例において、第２ピン３２２２の長さは、第１ピン３２２１に比べて短い。第２ピン３２２２の長さは、仕上げ層１３に対して第２ピン３２２２を根元まで押し込んだ際に、第２導体部１２２までは到達するが、第１導体部１２１までは到達しない長さに設定されている。図示の例では、第２ピン３２２２を押し込んだ際に、第２ピン３２２２の先端部が、第１導体部１２１と第２導体部１２２との間に介在する絶縁部１２３の途中に留まるように構成されている。但し、第２ピン３２２２が基端まで押し込まれた際に、その先端部が第１導体部１２１の途中に留まるような長さに調節されていても良い。
【００４６】
一方、第１ピン３２２１の長さは、仕上げ層１３に根元まで押し込んだ際に、第１導体部１２１まで確実に到達する長さに設定されている。更に、第１ピン３２２１の基端側には、絶縁材によって被覆された絶縁被覆部３２２２Ａが形成されている。より詳しくは、絶縁被覆部３２２２Ａは、第１ピン３２２１の基端部から、第１ピン３２２１を仕上げ層１３に穿通させた状態で絶縁部１２３の中途部に対応する部位までの範囲に亘って形成されている。これにより、接続ピン部材３２２を仕上げ層１３に穿通させた際に、第１ピン３２２１を導体層１２の第１導体部１２１と導通させ、第２ピン３２２２を導体層１２の第２導体部１２２と導通させることができる。そして、第１ピン３２２１の基端側には、絶縁被覆部３２２２Ａが形成されているので、第１ピン３２２１と第２導体部１２２との絶縁性を確保することができる。
【００４７】
また、図１１に示す構成によれば、導体層１２における第１導体部１２１と第２導体部１２２とが厚さ方向に積層されるため、導体層１２を単層構造とする場合に比べて、接続ピン部材３２２を穿通又は挿通させる位置の自由度が増す。これにより、使用者は、電気デバイス３をより自由にレイアウトすることができる。
【００４８】
＜実施例５＞
次に、実施例５について説明する。図１２は、実施例５に係る導電性壁紙１の断面構造を示す図である。図１に示す断面構造との相違点は、基材１１と導体層１２との間に、蓄電層１４が形成されていることである。この蓄電層１４は、例えば、有機ラジカル二次電池などの薄膜蓄電池を適用することができるが、これに限定されるものではない。有機ラジカル二次電池は、有機ラジカルポリマーを蓄電材料とし、ラジカルの酸化還元反応を利用して充放電する二次電池である。蓄電層１４は、有機ラジカルポリマーが形成される層の上下を絶縁材で挟んだ層構造となっている。
【００４９】
蓄電層１４は、図３に示したターミナル装置５のターミナル端子５１Ａ，５１Ｂと導通しており、電気配線４１によって分電盤から供給される電力が蓄電層１４に蓄電される。この構成によれば、停電時などのように、分電盤から電気配線４１を介した電力供給が停止された場合、導電性壁紙１の導体層１２への給電は蓄電層１４から行うことができる。
【００５０】
＜実施例６＞
次に、実施例６について説明する。図１３は、実施例６に係る導電性壁紙１の断面構造を示す図である。本実施例に係る導電性壁紙１は、仕上げ層１３と導体層１２との間にセンサー層１５が形成されている。導体層１２は、実施例１、４に示したものと同様である。
【００５１】
センサー層１５は、圧力センサーが設けられている。図１４は、壁４の側面透視図であり、センサー層１５において圧力センサー１５０が形成されている平面位置を例示するものである。センサー層１５における圧力センサー１５０の平面的な配置パターンは図示の例に限られず、変更することができる。例えば、図示のような分散配置ではなく、圧力センサー１５０を一箇所に集中配置しても構わない。
【００５２】
本実施例に係る導電性壁紙１は、センサー層１５が内蔵されているため、導電性壁紙１（壁４）自体をスイッチとして機能させることができる。例えば、圧力センサー１５０によって、壁４（導電性壁紙１）がタッチ、或いは押圧された場合に、電気デバイス３への電力供給のオン、オフを切り替え、或いは電力供給量を変更するようにしても良い。例えば、電気デバイス３が図４に示した照明器具などの場合、使用者は、暗闇の中、手探りで照明器具のリモコンを探すことなく、導電性壁紙１（仕上げ層１３）を押すだけで照明器具を点灯させることができるため、便利である。また、これによれば、電気デバイス３のスイッチが外部に露出しないので、美観上の観点からも優れている。
【００５３】
また、センサー層１５は、導体層１２と基材１１との間、即ち、導体層１２の下層側に形成されているため、接続ピン部材３２２のピンによってセンサー層１５が破損することがない。なお、この場合、接続ピン部材３２２のピンは、導体層１２に穿通又は挿通させた際にセンサー層１５に到達しない長さに調節されていることが好ましい。なお、本実施例では、導電性壁紙１のセンサー層１５に圧力センサー１５０を設けているが、これに代えて、或いは併用して静電容量センサーを設けるようにしても、上述した同様の効果が得られる。
【００５４】
＜実施例７＞
次に、実施例７について説明する。本実施例では、実施例１に係る導電性壁紙１及び
を用いた電力供給及び情報伝達システム（以下、単に「総合システム」という）１００について説明する。図１５は、実施例７に係る総合システム１００のシステム構成を概念的に示す図である。総合システム１００は、実施例１で説明した導電性壁紙１、電気デバイス３、ターミナル装置５、分電盤６（電源装置）などを備える。
【００５５】
図１６は、導電性壁紙１が表面に貼り付けられた壁４の側面図である。壁４には、電気デバイス３の例示である照明器具３０１、スイッチ３０２、コンセント３０３、情報パネル３０４等が取り付けられている。照明器具３０１は、図４に示したものと同じ構造である。また、他の電気デバイス３である、スイッチ３０２、コンセント３０３、情報パネル３０４も、照明器具３０１と同様に、背面側に固定部材３２１と接続ピン部材３２２とを備えている。
【００５６】
例えば、スイッチ３０２、コンセント３０３、情報パネル３０４（情報表示装置）のケース背面に、固定部材３２１が取り付けられており、この固定部材３２１から一組の接続ピン部材３２２が図４と同様の態様で突出している（図１６では、固定部材３２１及び接続ピン部材３２２の図示を省略している）。図１６に示す状態で、各電気デバイス３は、接続ピン部材３２２を介して導電性壁紙１の導体層１２と導通しており、且つ、固定部材３２１を介して導電性壁紙１における仕上げ層１３の表面に固定されている。なお、電気デバイス３に、既存の差し込みプラグが備えられている場合、図７で説明したソケット部材３４を介して、電気デバイス３を導電性壁紙１に取り付けても良い。
【００５７】
図１５に戻り、総合システム１００のシステム構成を説明すると、電気配線及びターミナル装置５を介して、分電盤６からの電力（強電）が導電性壁紙１に供給される。そして、導電性壁紙１に供給された電力（強電）は、その導体層１２から照明器具３０１やコン
セント３０３に繋がれる各種電気デバイスへと供給される。
【００５８】
ターミナル装置５は、ターミナル端子５１、蓄電池５２、制御部５３、通信部５４などを備えている。ターミナル端子５１は、図３において説明した通りである。蓄電池５２は、分電盤６から供給される電力（強電）を蓄電する二次電池であり、種々の二次電池を採用することができる。制御部５３は、プロセッサ、メモリなどを有し、ターミナル端子５１の動作全体を制御する。通信部５４は、スイッチ３０２や、情報パネル３０４、各種電気デバイス３、外部装置７との間で情報信号の送受信を行う機能を有する。なお、通信部５４は、無線により通信を行っても良いし、有線によって通信を行っても良い。
【００５９】
スイッチ３０２は、例えば、タッチパネル３０２Ａを有しており、使用者がタッチパネル３０２Ａを操作することで、電気デバイス３の作動状態をコントロールすることができる。タッチパネル３０２Ａの操作状態を示す情報信号（弱電）は、導電性壁紙１を介してターミナル５に伝達される。この場合、導電性壁紙１の導体層１２は電気配線ではないが、いわゆるＰＬＣ（Power Line Communication）等の電力線搬送通信と同様の技術を利用して、電気デバイス３とターミナル装置５との間における情報信号を搬送することができる。
【００６０】
ターミナル装置５の制御部５３は、通信部５４を介してスイッチ３０２からの情報信号を受け取り、メモリに記憶する。例えば、スイッチ３０２が、照明器具３０１と関連付けられている場合、制御部５３のプロセッサは、メモリに記憶されている情報信号の内容を読み出して、通信部５４を介して照明器具３０１に対する制御信号を送信する。照明器具３０１は、ターミナル５から受信した制御信号に応じてその作動状態、すなわち点灯及び消灯の切り替えや、照度調整などを行う。このようにして、使用者は、スイッチ３０２のタッチパネル３０２Ａを操作することによって、照明器具３０１の作動状態をコントロールすることができる。なお、スイッチ３０２による電気デバイス３の制御対象は、照明器具３０１に限られず、例えば図示しない空調機器や、換気装置、或いはその他の電子機器であっても良い。
【００６１】
総合システム１００は、導電性壁紙１と、後述する各種センサーを備えた情報パネル３０４を利用して、セキュリティシステムとして機能する。図１７は、情報パネル３０４の正面図である。情報パネル３０４は、タッチパネルディスプレイ３５、ソーラーパネル３６、各種センサー３７を備える。タッチパネルディスプレイ３５は、例えば、圧力式、或いは静電容量式のタッチパネルである。また、ソーラーパネル３６は、いわゆる太陽電池であり、太陽光エネルギーを電力に変換する装置である。センサー３７は、例えば、温度センサー３７Ａ、湿度センサー３７Ｂ、ＣＯ２濃度センサー３７Ｃ、音センサー３７Ｄ、人感センサー３７Ｅなどを含むが、これに限定されるものではない。すなわち、情報パネルボード３０４によって、センシングを行う対象に応じて搭載するセンサーの種類を設定すれば良い。例えば、情報パネルボード３０４は、ガス検知センサーなどを備えていても良い。
【００６２】
各種センサー３７のセンシング結果は、タッチパネルディスプレイ３５に表示される。また、各種センサー３７のセンシング結果は、情報信号として、導電性壁紙１を介してターミナル装置５に搬送、伝達される。そして、ターミナル装置５の制御部５３は、必要に応じて外部装置７に指令信号を発信する。外部装置７は、例えばスピーカーなどの音声出力装置を含んで構成されている。例えば、使用者は、タッチパネルディスプレイ３５の操作によって、人感センサー３７Ｅの作動内容の詳細設定を行うことができる。例えば、人感センサー３７Ｅを作動させる時間帯の設定をタッチパネルディスプレイ３５の操作によって行うようにしても良い。
【００６３】
ターミナル装置５の制御部５３は、人感センサー３７Ｅから受け取った情報信号に基づき、屋内に空き巣などの不法侵入者が進入したことを検知した場合、外部装置７（スピーカー）に作動信号を送信する。その結果、スピーカーが作動することにより警報が出力される。外部装置７は電話機、データ送信装置など通信機を含んで構成されていても良く、その場合には、警察や警備会社等への通報が自動でなされるようにしても良い。また、ターミナル装置５の制御部５３は、音センサー３７Ｄから受け取った情報信号に基づき、侵入者の有無を判断しても良い。この場合、人感センサー３７Ｅの場合と同様に、タッチパネルディスプレイ３５は、その操作によって、音センサー３７Ｄの作動内容の詳細設定を行うことができる。
【００６４】
また、センサー３７は、赤外線センサーを含んでいても良い。この場合、例えば、家人の何らかのトラブル（不慮の怪我、独居老人のトラブルなど）を赤外線センサーによって検知するようにしても良い。ターミナル装置５の制御部５３は、赤外線センサーから受け取った情報信号に基づいて家人に何らかのトラブルが起こったことを検知した場合、スピーカーを作動させることによって、家人への呼び掛けを行っても良い。その際、総合システム１００は、例えば、情報パネル３０４のタッチパネルディスプレイ３５に解除ボタンを表示させても良い。そして、スピーカーによる上記呼び掛けが出力された後、一定時間内に当該解除ボタンが押されなかった場合に、上記通信機によって施設や隣人宅への通報が自動でなされるようにしても良い。
【００６５】
ここで、情報パネル３０４は、導電性壁紙１への取り付け箇所に制約が無い。そのため、使用者は、搭載するセンサー３７の種類、すなわちセンシング対象に応じて、情報パネル３０４を適切な位置に設置することができる。また、情報パネル３０４は、導電性壁紙１に対して着脱自在であるため、搭載するセンサー３７の種類、数、スペック等を変更する際に内装工事、電気工事等が発生せず、利便性が高い。
【００６６】
また、本実施例のシステム１００に適用する導電性壁紙１を、図１３、１４で説明したようにセンサー層１５を備えるようにすれば、センサー層１５をセキュリティ用途、防犯用途に利用することもできる。具体的には、ターミナル装置５の制御部５３は、圧力センサー１５０からの情報信号に基づいて侵入者の存在を検知する。具体的には、例えば深夜等の特定の時間帯において、侵入者が接触するなどして導電性壁紙１の表面が押圧されたことを、圧力センサー１５０からの情報信号に基づいて制御部５３が検出した場合、制御部５３は、室内に侵入者が存在すると判別することができる。この場合、制御部５３は、外部装置７としてのスピーカーを作動させることで、スピーカーから警報を出力させると良い。
【００６７】
以上、本発明を実施する形態を説明したが、可能な限り各実施例は組み合せることができる。また、本発明の本旨を逸脱しない範囲内において上記した実施形態には種々の変更を加えることができる。例えば、上述した各実施例では、導電性壁紙１を設置する設置対象部を壁とする場合を例示的に説明しているが、天井、床等に導電性壁紙１を設置することも可能である。また、本発明に係る導電性内装仕上げ材は、導電性の壁紙（クロス）に限定されるものではなく、例えば、導電性の仕上げ用パネル材であっても良い。
【符号の説明】
【００６８】
１・・・導電性壁紙
２・・・下地材
３・・・電気デバイス
４・・・壁
１１・・・基材
１２・・・導体層
１３・・・仕上げ層
１４・・・蓄電層
１５・・・センサー層
【図１】
2013139697.tif 000003
【図２】
2013139697.tif 000004
【図３】
2013139697.tif 000005
【図４】
2013139697.tif 000006
【図５】
2013139697.tif 000007
【図６】
2013139697.tif 000008
【図７】
2013139697.tif 000009
【図８】
2013139697.tif 000010
【図９】
2013139697.tif 000011
【図１０】
2013139697.tif 000012
【図１１】
2013139697.tif 000013
【図１２】
2013139697.tif 000014
【図１３】
2013139697.tif 000015
【図１４】
2013139697.tif 000016
【図１５】
2013139697.tif 000017
【図１６】
2013139697.tif 000018
【図１７】
2013139697.tif 000019